(57)【要約】      （修正有）【課題】大きな力を必要とせずに接続状態を解除することができる二重給排気筒の接続解除用工具を提供する。【解決手段】蝶番４５で結合された２つのリング形成部材４３，４４の内表面側に滑り止め用の凹凸部４２を設け、外表面側にハンドル部６１，６２を脱着可能とする取付部４６を設けた。二重給排気筒をリング部４１に嵌まるように締め付けてリング形成部材を閉じた状態て留め具部５０で固定し、取付部にハンドル部を取付け、ハンドル部を手でそれぞれ把持して、接続解除用工具の全体を周方向に回転させたり、回転の回転面と垂直方向に引っ張ることで、器具の二重給排気部と二重給排気筒とが重ね合わされ接続された状態を解除できるようにした。【選択図】図２
2019066118.tif 000002
【特許請求の範囲】
【請求項１】
蝶番で結合された２つのリング形成部材により、開いた状態と閉じた状態とに遷移可能なリング部であって、内表面側に滑り止め用の凹凸部が設けられ、外表面側にハンドル部を脱着可能とする取付部が、少なくとも前記リング部の径方向において対向する位置に２つ設けられた前記リング部と、
滑り止め用部材が装着された二重給排気筒を前記リング部に嵌まるように締め付けて、２つの前記リング形成部材を閉じた状態に固定するための留め具部と、
２つの前記取付部にそれぞれ脱着可能な２つの前記ハンドル部と
を備え、
２つの前記取付部にそれぞれ装着された２つの前記ハンドル部が手でそれぞれ把持されて、接続解除用工具の全体が前記リング部の周方向に回転させられたり、該回転の回転面と垂直方向に引っ張られることで、
所定の器具の二重給排気部と前記二重給排気筒とが重ね合わされ接続された状態を解除する
二重給排気筒の接続解除用工具。
【請求項２】
所定の器具の二重給排気部と重ね合わされ接続された二重給排気筒に滑り止め用部材を装着するステップと、
接続解除用工具の蝶番で結合された２つのリング形成部材により開いた状態と閉じた状態とに遷移可能な内表面側に滑り止め用の凹凸部が設けられたリング部の２つの前記リング形成部材が閉じられた状態で前記二重給排気筒を前記リング部に嵌まるように前記接続解除用工具を位置させるステップと、
前記接続解除用工具の留め具部により、前記二重給排気筒を、前記リング部に嵌まるように締め付けて、２つの前記リング形成部材を閉じた状態に固定するステップと、
外表面側にハンドル部を脱着可能とする取付部が、少なくとも前記リング部の径方向において対向する位置に２つ設けられた前記リング部に対して、２つの前記取付部にそれぞれ２つの前記ハンドル部を装着するステップと
２つの前記ハンドル部を手でそれぞれ把持して、前記接続解除用工具の全体を前記リング部の周方向に回転したり、該回転の回転面と垂直方向に引っ張ることで、前記所定の器具の二重給排気部と前記二重給排気筒とが重ね合わされ接続された状態を解除するステップと
を有する二重給排気筒の接続解除方法。
【発明の詳細な説明】
【技術分野】
【０００１】
本発明は、ガス器具等に接続される二重給排気筒の接続状態を解除する技術に関する。
【背景技術】
【０００２】
従来、ガス器具等（例えば、湯沸器である。）の二重給排気部（図８参照）に対して、重ね合わされ接続されるステンレス製のスライド式で伸縮可能な二重給排気筒（図９参照）は、使用を継続していると経年劣化が生じ、特に、５年〜１０年の長期間の使用により、排気中に含まれる水素から水が発生し、二重給排気筒の内側の排気筒に結露が生じ、錆等の発生に起因して、本来的には摺動可能な接続部分が固着してしまい、修理等の際に容易に接続状態を解除する（取り外す）ことができなくなることが多い。
【０００３】
そのような場合、二重給排気筒はステンレス製の薄い部材であり、レンチ等の工具を用いると変形してしまうため、腕力の強い作業員を手配して、手袋を装着したうえで力任せに回転させて引っ張りながら、スライド式の伸縮部材により二重給排気筒の長さ寸法を縮ませることにより接続状態を解除していた。
【０００４】
例えば、関連技術として、燃焼後の排気及び燃焼用の空気の給気を、壁の貫通孔を貫通する給排気筒本体と給排気筒トップを備えた二重筒構造の給排気装置を介して屋外より行うようにしたものに於いて、給排気筒トップの外側排気筒と密接して嵌合している給排気筒本体の内側排気筒の先端部に輪状の凹部を設けたため、不純物を含んだ結露水が給排気筒本体の内側排気筒と給排気筒トップの外側排気筒の嵌合部全体に浸入して固着するのを防ぐことができ、壁から給排気筒本体と給排気筒トップを取り外す作業を容易に行うことができる技術がある（特許文献１参照）。
【先行技術文献】
【特許文献】
【０００５】
【特許文献１】特開２００８−３２２８０号公報
【発明の概要】
【発明が解決しようとする課題】
【０００６】
しかし、それでもなお、二重給排気筒の接続部分が強固に固着しており（特に、内側の排気筒の接続部分が強固に固着していると、外部からの力が直接に伝わりにくいため、接続状態を解除することが困難となり易い事情がある。）、そのままの状態では接続状態を解除することができないため二重給排気筒を破壊する必要があるケースや、無理な力が加えられることで二重給排気筒が壊れてしまうケースもあったため、特別に腕力の強い作業員でなくても、誰でも大きな力を必要とせずに二重給排気筒の本来の形状のまま確実に二重給排気筒の接続状態を解除する手法が求められていた。
【０００７】
本発明の目的は、大きな力を必要とせずに二重給排気筒の本来の形状のまま確実に二重給排気筒の接続状態を解除することができる二重給排気筒の接続解除用工具および二重給排気筒の接続解除方法を提供することにある。
【課題を解決するための手段】
【０００８】
本発明の二重給排気筒の接続解除用工具は、
蝶番で結合された２つのリング形成部材により、開いた状態と閉じた状態とに遷移可能なリング部であって、内表面側に滑り止め用の凹凸部が設けられ、外表面側にハンドル部を脱着可能とする取付部が、少なくとも前記リング部の径方向において対向する位置に２つ設けられた前記リング部と、
滑り止め用部材が装着された二重給排気筒が前記リング部に嵌まるように締め付けて、２つの前記リング形成部材を閉じた状態に固定するための留め具部と、
２つの前記取付部にそれぞれ脱着可能な２つの前記ハンドル部と
を備え、
２つの前記取付部にそれぞれ装着された２つの前記ハンドル部が手でそれぞれ把持されて、接続解除用工具の全体が前記リング部の周方向に回転させられたり、該回転の回転面と垂直方向に引っ張られることで、
所定の器具の二重給排気部と前記二重給排気筒とが重ね合わされ接続された状態を解除する。
【０００９】
このように構成することにより、リング部であって、内表面側に滑り止め用の凹凸部が設けられるので、接続解除用工具の全体を回転させたり引っ張る際に滑ることが抑制され小さい力でも確実に有効利用することができる。なお、二重給排気筒にも滑り止め用部材が装着されているので、より一層、滑ることが抑制されている。
また、ハンドル部は、２つあるので、２つのハンドル部を、作業者が両手で把持して回転させて、引っ張るという、接続状態を解除するための力を効果的かつ効率的に加えることができる。また、二重給排気筒は作業のし難い狭い箇所に設置されていることもあり、作業者の腕力が１００％発揮できないケースにも対処することができる。
また、ハンドル部は、リング部の取付部に脱着可能であるので、二重給排気筒が壁面等の近傍に設置されており、ハンドル部が長いため壁部にぶつかってリング部を回転させることができない、というような状況等であっても、一旦、壁部にぶつかる１つのハンドル部を外して、リング部を少し回転移動させて、リング部のねじ溝部を壁部が障害とならない位置としたうえで改めてハンドル部を装着するという対応が可能となっている。
【００１０】
本発明の二重給排気筒の接続解除方法は、
所定の器具の二重給排気部と重ね合わされ接続された二重給排気筒に滑り止め用部材を装着するステップと、
接続解除用工具の蝶番で結合された２つのリング形成部材により開いた状態と閉じた状態とに遷移可能な内表面側に滑り止め用の凹凸部が設けられたリング部の２つの前記リング形成部材が閉じられた状態で前記二重給排気筒が前記リング部に嵌まるように前記接続解除用工具を位置させるステップと、
前記接続解除用工具の留め具部により、前記二重給排気筒を、前記リング部に嵌まるように締め付けて、２つの前記リング形成部材を閉じた状態に固定するステップと、
外表面側にハンドル部を脱着可能とする取付部が少なくとも前記リング部の径方向において対向する位置に２つ設けられた前記リング部に対して、２つの前記取付部にそれぞれ２つの前記ハンドル部を装着するステップと
２つの前記ハンドル部を手でそれぞれ把持して、前記接続解除用工具の全体を前記リング部の周方向に回転したり、該回転の回転面と垂直方向に引っ張ることで、前記所定の器具の二重給排気部と前記二重給排気筒とが重ね合わされ接続された状態を解除するステップと
を有する。
【発明の効果】
【００１１】
本発明によれば、大きな力を必要とせずに二重給排気筒の本来の形状のまま確実に二重給排気筒の接続状態を解除可能な二重給排気筒の接続解除用工具および二重給排気筒の接続解除方法を提供することができる。
【図面の簡単な説明】
【００１２】
【図１】本発明の実施の形態に係る二重給排気筒の接続解除用工具の使用状態を示す図である。
【図２】本発明の実施の形態に係る二重給排気筒の接続解除用工具の構成を示す図である。
【図３】本発明の実施の形態に係る二重給排気筒の接続解除用工具の組み立て前の状態を示す図である。
【図４】本発明の実施の形態に係るリング部を開いた状態を示す図である。
【図５】本発明の実施の形態に係る二重給排気筒に滑り止め用部材を装着することを説明する図である。
【図６】本発明の実施の形態に係る二重給排気筒に二重給排気筒の接続解除用工具を装着することを説明する図である。
【図７】本発明の実施の形態に係る二重給排気筒の接続解除方法の流れを示すフローチャートである。
【図８】ガス器具の二重給排気部の構成を示す図である。
【図９】二重給排気筒の構成を示す図である。
【発明を実施するための形態】
【００１３】
以下、本発明の実施の形態を図面を参照しつつ説明する。
【００１４】
図１に、本発明の実施の形態に係る二重給排気筒の接続解除用工具（以下、単に「接続解除用工具」という場合がある。）の使用状態を示す。
所定の器具の一例としてガス湯沸器を示す。ガス湯沸器Ｇの二重給排気部１０に二重給排気筒２０が重ね合わされ接続されている。
その二重給排気筒２０に、滑り止め用部材３０が装着され、そこに接続解除用工具４０がセットされている。
【００１５】
[接続解除用工具４０]
接続解除用工具４０はここでは鉄製とするが、素材は本発明の効果を奏する機能を果たす限り任意である。
【００１６】
図２に示すように、接続解除用工具４０のリング部４１に、滑り止め用部材３０が装着された二重給排気筒２０が嵌まるようになっており、２つのハンドル部６１、６２を両手で把持して回転させ、引っ張ることで、二重給排気部１０と二重給排気筒２０の接続状態を解除する。
リング部４１の閉じた状態での内径は、二重給排気筒２０の外周径よりも約３ｍｍ程度、大きくし、隙間を設けることで、滑り止め用部材３０が装着された二重給排気筒２０にフィットすることとなっている。
リング部４１の内表面側（滑り止め用部材３０等と接触する面）には滑り止め用の凹凸部４２が設けられている。この凹凸部は格子状に塗布して固化させた接着剤により簡易に実現されてもよい。
【００１７】
図３および図４に示すように、接続解除用工具４０のリング部４１は、蝶番４５で結合された２つのリング形成部材４３、４４により、開いた状態と閉じた状態とに遷移可能に構成されている。
リング部４１の２つのリング形成部材４３、４４が閉じた状態を固定するために、接続解除用工具４０には留め具部５０（ここでは一例としてネジ機構としている。）が１つ設けられている。留め具部５０の締め具合は締め過ぎてリング部４１の２つのリング形成部材４３、４４により挟み込んだ二重給排気筒２０が変形しないように調整可能となっている。
リング部４１の外表面側には２つのハンドル部６１、６２を脱着可能とする２つの取付部４６、４７（ここでは一例としてネジ溝としている。）が、リング部４１の径方向において対向する位置に設けられている。リング部４１の径方向において対向する位置に２つ設けられるので作業者の力が効果的かつ効率的に伝わることとなる。なお、取付部が、さらに１つ以上設けられ、ハンドル部６１等をより作業に際して好適な位置に装着可能（二重給排気筒２０が壁面等の近傍に設置されており、ハンドル部６１、６２が長いため壁部にぶつかってリング部４１を回転させることができない、というような状況等であっても、一旦、壁部にぶつかる１つのハンドル部を外して、壁部が障害とならない位置の取付部に改めてそのハンドル部を装着する等。）等とすることであってもよく、また、取付部の数に対応してハンドル部の数も増加させることであってもよい。
【００１８】
ハンドル部６１、６２は、取付部４６、４７に脱着可能なように、ここでは棒状の基端部がネジ切り加工されている。例えば棒状としているが形状は任意である。ハンドル部は、２つあるので、２つのハンドル部を作業者が両手で把持して回転させて、引っ張るという、接続状態を解除するために必要な力を効果的かつ効率的に加えることができる。また、二重給排気筒２０は作業のし難い狭い箇所に設置されていることもあり、作業者の腕力が１００％発揮できないケースにも接続解除用工具４０を用いることで対処することができる。
ハンドル部６１、６２は、取付部４６、４７に脱着可能であるので、二重給排気筒２０が壁面等の近傍に設置されており、ハンドル部６１、６２が長いため壁部にぶつかってリング部４１を回転させることができない、というような状況等であっても、一旦、壁部にぶつかる１つのハンドル部を外して、リング部４１を少し回転移動させて、リング部４１の取付部４６、４７を壁部が障害とならない位置としたうえで改めてハンドル部を装着するという対応が可能となっている。
【００１９】
[滑り止め用部材３０]
図５および図６に示すように、滑り止め用部材３０（ここでは一例として滑り止め用ネットとしている。）が、二重給排気筒２０に装着される。二重給排気筒２０はステンレス製等でありそのままでは接続解除用工具４０が滑りやすいためである。滑り止め用部材３０は、二重給排気筒２０の外周に沿うように２周巻き付けることであってもよい。また、滑り止め用部材３０は、適度な弾力性があり、二重給排気筒２０の変形を防止する機能も果たしている。なお、滑り止め用部材３０として、市販の滑り止め用マット（厚み３ｍｍ、塩化ビニル製）等を必要量だけ切り取って利用することであってもよい。
【００２０】
次に、図７を参照して本実施の形態に係る二重給排気筒の接続解除方法のフローを詳細に説明する。
【００２１】
まず、所定の器具としてのガス湯沸器Ｇの二重給排気部１０と重ね合わされ接続された二重給排気筒２０に滑り止め用部材３０を装着する（ステップＳ７０１）。
【００２２】
次に、接続解除用工具４０の蝶番４５で結合された２つのリング形成部材４３、４４により開いた状態と閉じた状態とに遷移可能な内表面側に滑り止め用の凹凸部４２が設けられたリング部４１の２つのリング形成部材４３、４４が閉じられた状態で二重給排気筒２０（滑り止め用部材３０が装着済み。）をリング部４１に嵌まるように接続解除用工具４０を位置させる（ステップＳ７０２）。
【００２３】
次に、接続解除用工具４０の留め具部５０により、二重給排気筒２０を、リング部４１に嵌まるように締め付けて、２つのリング形成部材４３、４４を閉じた状態に固定する（ステップＳ７０３）。
【００２４】
次に、外表面側にハンドル部６１、６２を脱着可能とする取付部４６、４７が少なくともリング部４１の径方向において対向する位置に２つ設けられたリング部４１に対して、２つの取付部４６、４７にそれぞれ２つのハンドル部６１、６２を装着する（ステップＳ７０４）。なお、このステップＳ７０４は省略されてもよい、すなわち、予め２つの取付部４６、４７にそれぞれ２つのハンドル部６１、６２が装着された状態であってもよい。
【００２５】
そして、２つのハンドル部６１、６２を作業者が両手を用いてそれぞれを片手で把持して、接続解除用工具４０の全体をリング部４１の周方向に回転したり、当該回転の回転面と垂直方向（図１における上下方向）に引っ張ることで（その周方向の回転とその回転面と垂直方向に引っ張ることが同時になされるような動作を当然に含む。）、ガス湯沸器Ｇの二重給排気部１０と二重給排気筒２０とが重ね合わされ接続された状態を解除する（ステップＳ７０５）。なお、二重給排気筒２０は、スライド式で伸縮可能な構成であってもよい。
【００２６】
上記の本実施の形態によれば、特別に腕力の強い作業員でなくても、誰でも大きな力を必要とせずに、二重給排気筒を破壊したり、壊してしまったりすることなく、二重給排気筒２０の本来の形状のまま確実に二重給排気筒２０の接続状態を解除することができる。
【００２７】
[変形例]
接続解除用工具４０は、二重給排気部１０と二重給排気筒２０とが重ね合わされ接続された状態を解除することのみでなく、逆に、二重給排気部１０と二重給排気筒２０とを重ね合わせて接続する際に用いることもできる。
【００２８】
なお、上述する各実施の形態は、本発明の好適な実施の形態であり、本発明の要旨を逸脱しない範囲内において種々変更実施が可能である。例えば、二重給排気筒に限らず、ストーブ・ボイラーの煙突等の一重排気筒などや、一重排気筒タイプのガス湯沸器等の接続箇所にも適用可能である。
【符号の説明】
【００２９】
Ｇ            ガス湯沸器
１０          二重給排気部
２０          二重給排気筒
３０          滑り止め用部材
４０          接続解除用工具
４１          リング部
４２          凹凸部
４３、４４    リング形成部材
４５          蝶番
４６、４７    取付部
５０          留め具部
６１、６２    ハンドル部
【図１】
2019066118.tif 000003
【図２】
2019066118.tif 000004
【図３】
2019066118.tif 000005
【図４】
2019066118.tif 000006
【図５】
2019066118.tif 000007
【図６】
2019066118.tif 000008
【図７】
2019066118.tif 000009
【図８】
2019066118.tif 000010
【図９】
2019066118.tif 000011
【手続補正書】
【提出日】平成29年11月17日(2017.11.17)
【手続補正１】
【補正対象書類名】明細書
【補正対象項目名】０００８
【補正方法】変更
【補正の内容】
【０００８】
本発明の二重給排気筒の接続解除用工具は、
蝶番で結合された２つのリング形成部材により、開いた状態と閉じた状態とに遷移可能なリング部であって、内表面側に滑り止め用の凹凸部が設けられ、外表面側にハンドル部を脱着可能とする取付部が、前記リング部の径方向において対向する位置に２つとさらに所定位置に少なくとも１つ設けられた前記リング部と、
滑り止め用部材が装着された二重給排気筒を前記リング部に嵌まるように締め過ぎないように調整しながら締め付けて、２つの前記リング形成部材を閉じた状態に固定するためのボルトとナットからなるネジ機構による留め具部と、
前記取付部のうち任意の２つの前記取付部にそれぞれ脱着可能な２つの前記ハンドル部と
を備え、
２つの前記取付部にそれぞれ装着された２つの前記ハンドル部が手でそれぞれ把持されて、接続解除用工具の全体が前記リング部の周方向に回転させられたり、該回転の回転面と垂直方向に引っ張られることで、
湯沸器の二重給排気部と前記二重給排気筒とが重ね合わされ接続された状態を解除する。
【手続補正２】
【補正対象書類名】明細書
【補正対象項目名】００１０
【補正方法】変更
【補正の内容】
【００１０】
本発明の二重給排気筒の接続解除方法は、
湯沸器の二重給排気部と重ね合わされ接続された二重給排気筒に滑り止め用部材を装着するステップと、
接続解除用工具の蝶番で結合された２つのリング形成部材により開いた状態と閉じた状態とに遷移可能な内表面側に滑り止め用の凹凸部が設けられたリング部の２つの前記リング形成部材が閉じられた状態で前記二重給排気筒を前記リング部に嵌まるように前記接続解除用工具を位置させるステップと、
前記接続解除用工具のボルトとナットからなるネジ機構による留め具部により、前記二重給排気筒を、前記リング部に嵌まるように締め過ぎないように調整しながら締め付けて、２つの前記リング形成部材を閉じた状態に固定するステップと、
外表面側にハンドル部を脱着可能とする取付部が、前記リング部の径方向において対向する位置に２つとさらに所定位置に少なくとも１つ設けられた前記リング部に対して、前記取付部のうち任意の２つの前記取付部にそれぞれ２つの前記ハンドル部を装着するステップと
２つの前記ハンドル部を手でそれぞれ把持して、前記接続解除用工具の全体を前記リング部の周方向に回転したり、該回転の回転面と垂直方向に引っ張ることで、前記湯沸器の二重給排気部と前記二重給排気筒とが重ね合わされ接続された状態を解除するステップと
を有する。
【手続補正３】
【補正対象書類名】特許請求の範囲
【補正対象項目名】全文
【補正方法】変更
【補正の内容】
【特許請求の範囲】
【請求項１】
蝶番で結合された２つのリング形成部材により、開いた状態と閉じた状態とに遷移可能なリング部であって、内表面側に滑り止め用の凹凸部が設けられ、外表面側にハンドル部を脱着可能とする取付部が、前記リング部の径方向において対向する位置に２つとさらに所定位置に少なくとも１つ設けられた前記リング部と、
滑り止め用部材が装着された二重給排気筒を前記リング部に嵌まるように締め過ぎないように調整しながら締め付けて、２つの前記リング形成部材を閉じた状態に固定するためのボルトとナットからなるネジ機構による留め具部と、
前記取付部のうち任意の２つの前記取付部にそれぞれ脱着可能な２つの前記ハンドル部と
を備え、
２つの前記取付部にそれぞれ装着された２つの前記ハンドル部が手でそれぞれ把持されて、接続解除用工具の全体が前記リング部の周方向に回転させられたり、該回転の回転面と垂直方向に引っ張られることで、
湯沸器の二重給排気部と前記二重給排気筒とが重ね合わされ接続された状態を解除する
二重給排気筒の接続解除用工具。
【請求項２】
湯沸器の二重給排気部と重ね合わされ接続された二重給排気筒に滑り止め用部材を装着するステップと、
接続解除用工具の蝶番で結合された２つのリング形成部材により開いた状態と閉じた状態とに遷移可能な内表面側に滑り止め用の凹凸部が設けられたリング部の２つの前記リング形成部材が閉じられた状態で前記二重給排気筒を前記リング部に嵌まるように前記接続解除用工具を位置させるステップと、
前記接続解除用工具のボルトとナットからなるネジ機構による留め具部により、前記二重給排気筒を、前記リング部に嵌まるように締め過ぎないように調整しながら締め付けて、２つの前記リング形成部材を閉じた状態に固定するステップと、
外表面側にハンドル部を脱着可能とする取付部が、前記リング部の径方向において対向する位置に２つとさらに所定位置に少なくとも１つ設けられた前記リング部に対して、前記取付部のうち任意の２つの前記取付部にそれぞれ２つの前記ハンドル部を装着するステップと
２つの前記ハンドル部を手でそれぞれ把持して、前記接続解除用工具の全体を前記リング部の周方向に回転したり、該回転の回転面と垂直方向に引っ張ることで、前記湯沸器の二重給排気部と前記二重給排気筒とが重ね合わされ接続された状態を解除するステップと
を有する二重給排気筒の接続解除方法。